(57)【要約】【課題】  簡単な構成で安価に、しかも、耐久性に優れた押し下げ式スイッチを備えたディスプレ装置および電気機器を提供することを目的とする。【解決手段】機器本体を収納するケース２と、ケース２のパネル面に設けられたキートップ４１と、を備えた電気機器１において、ケース２の内のキートップ４１に対向する位置に装着されたプリント基板４４と、キートップ４１の内面側に設けられた導電部４２と、を更に備え、プリント基板４４の導電部４２に対峙する位置に、少なくとも一対のジャンパ線４３ａ、４３ｂからなるジャンパ接点４３を装着してキートップ４１を押し下げることにより、導電部４２がジャンパ接点４３間を短絡する押し下げ式スイッチ４を構成する。【選択図】図２
2007227054.tif 000002
【特許請求の範囲】
【請求項１】
ケースの前面から表示面を露出させ、前記ケースの内部に保持された表示機と、前記ケースのパネル面に設けられたキートップと、を備えたディスプレ装置において、
前記ケースの内壁の前記キートップに対向する位置に装着されたプリント基板と、前記キートップの内面側に設けられた導電部と、を更に備え、前記プリント基板の前記導電部に対峙する位置に、少なくとも一対のジャンパ線からなるジャンパ接点を装着して前記キートップを押し下げることにより、前記導電部が前記ジャンパ接点間を短絡する押し下げ式スイッチを構成したことを特徴とするディスプレ装置。
【請求項２】
機器本体を収納するケースと、前記ケースのパネル面に設けられたキートップと、を備えた電気機器において、
前記ケースの内の前記キートップに対向する位置に装着されたプリント基板と、前記キートップの内面側に設けられた導電部と、を更に備え、前記プリント基板の前記導電部に対峙する位置に、少なくとも一対のジャンパ線からなるジャンパ接点を装着して前記キートップを押し下げることにより、前記導電部が前記ジャンパ接点間を短絡する押し下げ式スイッチを構成したことを特徴とする電気機器。
【請求項３】
前記ジャンパ接点は、前記プリント基板にジャンパ線を、夫々上下方向において並設するように装着して形成したことを特徴とする請求項２に記載の電気機器。
【請求項４】
前記ジャンパ接点は、前記プリント基板にジャンパ線を、夫々縦方向において並設するように装着して形成したことを特徴とする請求項２に記載の電気機器。
【請求項５】
前記キートップは、前記パネル面に複数個設けるとともに、前記ジャンパ接点は、前記プリント基板の前記複数個のキートップの内面側に設けられた導電部に対峙する位置に複数組形成し、複数個の押し下げ式スイッチを構成したことを特徴とする請求項２乃至請求項４のいずれかに記載の電気機器。
【請求項６】
前記複数組のジャンパ接点は、同一プリント基板に装着され、かつ、相隣り合う前記ジャンパ接点は、夫々ジャンパ線を異なる方向に並設して形成したことを特徴とする請求項５に記載の電気機器。
【請求項７】
前記複数組の押し下げ式スイッチのジャンパ接点を形成する一方のジャンパ線は、少なくとも複数組の押し下げ式スイッチに共用可能に、他方の複数組のジャンパ線間を跨ぐように並設して形成したことを特徴とする請求項５に記載の電気機器。
【請求項８】
前記ジャンパ接点の長さを、当該ジャンパ接点に対峙する前記導電部の長さよりも長く形成したことを特徴とする請求項２乃至請求項６のいずれかに記載の電気機器。
【請求項９】
前記ジャンパ接点は、二対のジャンパ線からなり、相隣り合うジャンパ線の極性が異なるように電気的に接続したことを特徴とする請求項２乃至請求項８のいずれかに記載の電気機器。
【請求項１０】
前記導電部と、当該導電部に対峙するジャンパ接点との配置関係は、前記キートップを押し下げた際、前記導電部が、当該導電部に対峙する前記ジャンパ接点の下端部から上端部に向かって、順次当接するように形成したことを特徴とする請求項２乃至請求項９のいずれかに記載の電気機器。
【請求項１１】
前記ジャンパ接点は、捨て基板からなるプリント基板に、少なくとも一対のジャンパ線を装着して形成したことを特徴とする請求項２乃至請求項１０のいずれかに記載の電気機器。
【発明の詳細な説明】
【技術分野】
【０００１】
本発明は、ディスプレ装置（例えば、テレビジョンやモニターなど）およびこのようなディスプレ装置や、ビデオレコーダーなどの電気機器に関し、特に、機器本体、例えば、画像を表示する表示機などを収納するケースのパネル面に設けれた、例えば、電源、チャンネルおよびボリュームなどを操作するキートップを有する押し下げ式スイッチ構造に関するものである。
【背景技術】
【０００２】
従来から、この種電気機器においては、例えば、電源、チャンネルおよびボリュームなどを操作するのに押し下げ式スイッチが用いられている。この押し下げ式スイッチは、その操作を行うキートップが、機器本体、例えば、画像を表示する表示機、例えば、ＣＲＴ（Ｃａｔｈｏｄｅ Ｒａｙ Ｔｕｂｅ：陰極線管）などを収納するケースのパネル面に設けれ、このキートップを操作することにより、ケース内部に設けられたタクトスイッチをオン・オフし、パルス信号を伝達して電源のオン・オフ、チャンネルの切替および音量の調整などを行うようにしている。
【０００３】
従来、例えば、基板に設けられたタクトスイッチを、操作パネルの孔に嵌装された押釦ノブにより、オン・オフ操作するようにしたものがある(例えば、特許文１参照）。また、基板に設けられたタクトスイッチを、操作パネルに形成した押釦により、オン・オフ操作するようにしたものがある(例えば、特許文献２参照）。
【０００４】
また、基板に設けた短絡線間を、薄膜体の膨出部の裏面に形成した可動接点で、オン・オフ操作するようにしたものがある(例えば、特許文献３参照）。更に、基板に設けられた金属板接点を、フロントキャビネの開口に配設されたキートップを押圧することにより、ラバーシートに形成された押し子部を介してオン・オフ操作するようにしたものがある(例えば、特許文献４参照）。
【特許文献１】実開平５−８１９２２号公報
【特許文献２】実開昭５９−１４２３５号公報
【特許文献３】特開２００３−１９７０５７号公報
【特許文献４】特開２００４−７９２３２号公報
【発明の開示】
【発明が解決しようとする課題】
【０００５】
しかし、前述の特許文献１記載の構成では、タクトスイッチが必要である他、操作パネルとは別体の押釦ノブを必要とし、構成部品点数が増し、組立作業が煩雑となり、勢いこの種電気機器のコストがアップするなどといった問題があった。また、特許文献２記載の構成では、タクトスイッチが必要であり、勢いこの種電気機器のコストがアップするなどといった問題があった。また、特許文献３記載の構成では、オン・オフ操作時に、可動接点を変形するため、可動接点そのものに割れなどが生じる危惧がり、耐久性に問題があり、このような割れが発生した場合、可動接点として機能しなくなる。更に、特許文献４記載の構成では、フロントキャビネとは、別体に形成したキートップと、押し子部を有するラバーシートと、金属板接点を必要とし、構成部品点数が増し、組立作業が煩雑となり、勢いこの種電気機器のコストがアップするなどといった問題があった。
【０００６】
本発明は、上述した問題を解決するためになされたものであり、簡単な構成で安価に、しかも、耐久性に優れた押し下げ式スイッチを備えたディスプレ装置および電気機器を提供することを目的とする。
【課題を解決するための手段】
【０００７】
かかる目的を達成するため、本発明では、ケースの前面から表示面を露出させ、ケースの内部に保持された表示機と、ケースのパネル面に設けられたキートップと、を備えたディスプレ装置において、ケースの内壁のキートップに対向する位置に装着されたプリント基板と、キートップの内面側に設けられた導電部と、を更に備え、プリント基板の導電部に対峙する位置に、少なくとも一対のジャンパ線からなるジャンパ接点を装着してキートップを押し下げることにより、導電部がジャンパ接点間を短絡する押し下げ式スイッチを構成する。
【０００８】
この構成によれば、タクトスイッチを用いることなく、プリント基板に装着した少なくとも一対のジャンパ線からなるジャンパ接点を、所謂、固定側の接点とし、かつ、パネル面に設けたキートップの内面側に導電部を設けて可動側の接点として押し下げ式スイッチを構成している。従って、タクトスイッチが不要となり、部品点数の削減が図れるとともに、その構成は、極めて簡単となり、安価なものとなる。しかも、可動側の接点と機能する導電部は、オン・オフ操作時になんら変形しないので、半永久的に使用することができ、長寿命化を図ることができる。
【０００９】
また、本発明においては、機器本体を収納するケースと、ケースのパネル面に設けられたキートップと、を備えた電気機器において、ケースの内のキートップに対向する位置に装着されたプリント基板と、キートップの内面側に設けられた導電部と、を更に備え、プリント基板の導電部に対峙する位置に、少なくとも一対のジャンパ線からなるジャンパ接点を装着してキートップを押し下げることにより、導電部がジャンパ接点間を短絡する押し下げ式スイッチを構成する。
【００１０】
この構成によれば、タクトスイッチを用いることなく、プリント基板に装着した少なくとも一対のジャンパ線からなるジャンパ接点を、所謂、固定側の接点とし、かつ、パネル面に設けたキートップ内面側に導電部を設けて可動側の接点として押し下げ式スイッチを構成している。従って、タクトスイッチが不要となり、部品点数の削減が図れるとともに、その構成は、極めて簡単となり、安価なものとなる。しかも、可動側の接点と機能する導電部は、オン・オフ操作時になんら変形しないので、半永久的に使用することができ、長寿命化を図ることができる。
【００１１】
また、本発明においては、ジャンパ接点は、プリント基板にジャンパ線を、夫々上下方向において並設するように装着して形成する。
【００１２】
この構成によれば、所謂、固定側の接点とし機能するジャンパ接点は、横方向において線状に延びている。従って、ケースのパネル面に設けれたキートップとの位置関係において、横方向に余裕ができるので、ケースの製作誤差などを吸収でき、都合が良い。
【００１３】
また、本発明においては、ジャンパ接点は、前記プリント基板にジャンパ線を、夫々縦方向において並設するように装着して形成する。
【００１４】
この構成によれば、所謂、固定側の接点とし機能するジャンパ接点は、縦方向において線状に延びている。従って、ケースのパネル面に設けれたキートップとの位置関係において、縦方向に余裕ができるので、ケースの製作誤差などを吸収でき、都合が良い。
【００１５】
また、本発明においては、キートップは、パネル面に複数個設けるとともに、ジャンパ接点は、プリント基板の複数個のキートップの内面側に設けられた導電部に対峙する位置に複数組形成し、複数個の押し下げ式スイッチを形成する。
【００１６】
この構成によれば、パネル面に設けた複数個のキートップと、1枚のプリント基板上に形成した複数組のジャンパ接点とにより、複数個の押し下げ式スイッチを形成しているので、より備品点数の削減を図ることができ、都合がよい。
【００１７】
また、本発明においては、複数組のジャンパ接点は、同一プリント基板に装着され、かつ、相隣り合うジャンパ接点は、夫々ジャンパ線を異なる方向に並設して形成する。
【００１８】
この構成によれば、複数組のジャンパ接点が、同一プリント基板に装着され、かつ、相隣り合うジャンパ接点が、夫々ジャンパ線を異なる方向に並設して形成しているので、ケースに設ける相隣り合うキートップの配置構成に自由度が増し、デザイン設計の幅が広がり、都合がよい。
【００１９】
また、本発明においては、複数組の押し下げ式スイッチのジャンパ接点を形成する一方のジャンパ線は、少なくとも複数組の押し下げ式スイッチに共用可能に、他方の複数組のジャンパ線間を跨ぐように並設して形成する。
【００２０】
この構成によれば、複数組の押し下げ式スイッチのジャンパ接点の一方は、1本のジャンパ線で共用できるので、プリント基板のパターンが単純化でき、都合がよい。
【００２１】
また、本発明においては、ジャンパ接点の長さを、当該ジャンパ接点に対峙する導電部の長さよりも長く形成する。
【００２２】
この構成によれば、ジャンパ接点の長さが、当該ジャンパ接点に対峙する導電部の長さよりも長いので、ケースに設けるキートップの配置構成に自由度が増し、デザイン設計の幅が広がり、都合がよい。
【００２３】
また、本発明においては、ジャンパ接点は、二対のジャンパ線からなり、相隣り合うジャンパ線の極性が異なるように電気的に接続する。
【００２４】
この構成によれば、ジャンパ接点が、二対のジャンパ線からなり、相隣り合うジャンパ線の極性が異なるように電気的に接続されている。従って、ケースのパネル面に設けたキートップとの位置関係において、余裕ができるので、ケースの製作誤差などを吸収でき、都合が良い。
【００２５】
また、本発明においては、導電部と、当該導電部に対峙するジャンパ接点との配置関係は、キートップを押し下げた際、導電部が、当該導電部に対峙するジャンパ接点の下端部から上端部に向かって、順次当接するように形成する。
【００２６】
この構成によれば、キートップを操作したときに、導電部が当該導電部に対峙するジャンパ接点の下端部から上端部に向かって順次当接するので、操作者のクリック感が増し、より操作が確実と成り、都合が良い。
【００２７】
更に、本発明においては、ジャンパ接点は、捨て基板からなるプリント基板に、少なくとも一対のジャンパ線を装着して形成する。
【００２８】
本明細書において、「捨て基板」とは、原材料となる基板本体から表面に電子部品を実装したメイン基板を取り出す場合に、取り出すメイン基板の形状等の理由から基板本体の周縁などに残る部分や複数の開口部を形成するための部分、更には、デットスペースとして残る部分などをいい、通常廃棄される部分や電子部品が実装されない部分をいう。
【００２９】
この構成によれば、プリント基板は、通常廃棄される捨て基板を利用している。このため、製造コストを増大させることなく上述の効果を得ることができる。加えて、廃材を利用するため、省資源および環境保全の観点からも好ましい効果を得ることができる。
【発明の効果】
【００３０】
本発明によれば、押し下げ式スイッチの部品点数の削減が図れるとともに、その構成は、極めて簡単となり、安価に、しかも、長寿命化を図ったディスプレ装置および電気機器を得ることができる。
【発明を実施するための最良の形態】
【００３１】
（第１実施形態）
以下、本発明の第１実施形態を図１乃至図８に基づいて説明する。図１は、本発明の第１実施形態に係る電気機器の一例であるディスプレ装置（テレビジョン）の概略構成を示す概略構成図、図２は、図１に示すテレビジョンのフロント側のパネル部分の要部拡大断面図、図３は、プリント基板の一例を示す平面図、図４は、図３に示すプリント基板のＸ−Ｘ視断面図である。図５は、原材料となる基板本体から図３に示すようなプリント基板を、取り出す状態を説明するための説明図である。図６乃至図８は、夫々プリント基板の他の例を示す平面図である。
【００３２】
図１に示すように、この電気機器であるテレビジョン１は、例えば、フロント側のケース２１と、図示しないリア側のケースとからなるケース２から構成され、フロント側のケース２１の前面には、外部から受信した映像を表示する表示機３、例えば、ＣＲＴ（Ｃａｔｈｏｄｅ Ｒａｙ Ｔｕｂｅ：陰極線管）、液晶、プラズマなどの表示面３１を露出させるための開口２２が設けれている。表示機３は、表示面３１が開口２２を介して露出するように、図示しない本体部分が、ケース２の内部に保持されている。また、ケース２の内部には、図示しないが、フライバックトランスや電源ユニット、ＩＣなどを実装したメイン基板などが収納されている。フロント側のケース２１の表示面３１の下方には、テレビジョン１の主電源をオン・オフさせるための押し下げ式スイッチ４のキートップ４１およびテレビジョン１のチャンネル切替え用の、例えば、一対の押し下げ式スイッチ５のキートップ５１、音量を調整するためのボリューム用の、例えば、一対の押し下げ式スイッチ６のキートップ６１が設けられている。
【００３３】
かかる構成により、表示機３の表示面３１に映し出される映像を、前方から見ることが可能となるとともに、主電源用の押し下げ式スイッチ４のキートップ４１を奥方に押し込むことによりテレビジョン１の主電源をオン・オフさせることが可能となる。また、同様に、押し下げ式スイッチ５のキートップ５１および押し下げ式スイッチ６のキートップ６１を奥方に押し込むことによりテレビジョン１のチャンネル切替えや、音量調整が可能となる。
【００３４】
而して、本発明に従い、押し下げ式スイッチ４、５、６は、例えば、図２に示すように構成されている。以下、主電源用の押し下げ式スイッチ４を中心に説明する。この押し下げ式スイッチ４は、ケース２のフロント側のケース２１に形成されたキートップ４１と、このキートップ４１の内面側に設けれた、所謂、可動側の接点として機能する導電部４２と、この導電部４２に対峙して設けられる、所謂、固定側の接点とし機能するジャンパ接点４３とから構成されている。
【００３５】
具体的に、キートップ４１は、上端においてケース２１と分断されており、下端においてケース２１と肉薄部２１ｃを介して接合している。このようにすることにより、キートップ４１を前面（矢印方向）から押圧することにより、キートップ４１は上端を自由端とし、肉薄部２１ｃを軸として傾動することが可能となっている。導電部４２は、キートップ４１の内面側の平坦面に、例えば、導電性の金属薄板を貼り付けたり、導電塗料を塗布したり、或いは、導電性金属を蒸着するなどして形成する。また、ジャンパ接点４３は、図３および図４に示すように、プリント基板４４に、一対のジャンパ線４３ａ、４３ｂを、夫々上下方向において並設するように装着して形成する。そして、図２に示すように、プリント基板４４を、例えば、フロント側のケース２１の内壁２１ａのキートップ４１に対向する位置に配設されるように、例えば、内壁２１ａに形成された基板支持部２１ｂに装着する。この構成により、導電部４２に対峙する位置に、ジャンパ接点４３が配設され、キートップ４１を押し下げることにより、導電部４２が、一対のジャンパ線４３ａ、４３ｂからなるジャンパ接点４３間を短絡する押し下げ式スイッチ４を構成することができる。
【００３６】
プリント基板４４は、例えば、図５に示すような捨て基板Ｂを用いることができる。例えば、図４に示すように、裏面に下パターン４４１が形成されたプリント基板４４の貫通孔４４２に、略コ字状にジャンパ線４３ｂ（４３ａ）を挿通し、下パターン４４１と半田付けされ、下パターン４４１と電気的に接続されている。この下パターン４４１の形成やジャンパ線４３ａ、４３ｂの取り付け、更には、ジャンパ線４３ａ、４３ｂと、下パターン４４１との半田付けなどは、メイン基板７に、所定のプリントパタンなどの回路を作成する際、同時に製作すればよい。図において８は、半田付け部分を示す。
【００３７】
次に、図５に基づいて、プリント基板４４を原材料となる基板本体Ａから取り出す状態を説明する。基板本体Ａは、プリント配線板などを製造する際に材料となる板材であって、例えば、紙フェノール（紙を基材としてフェノール樹脂を含浸させたプリプレグを積層、硬化させたもの）からなる。基板本体Ａからは、図示しないが、表面に所定のプリントパタンなどの回路が形成され、表面に電子部品を実装するメイン基板７として切り出される。しかし、取り出すメイン基板７の形状などの理由から、基板本体Ａの周縁などに残る部分や複数の開口部を形成するための部分、更にはデットスペースとして残る部分などメイン基板７の切れ端としての捨て基板Ｂが残る。この捨て基板Ｂは、通常、プリントパタンなどの回路が施されない状態で、そのまま放置されるか、捨てられてしまう。図３に示す捨て基板Ｂからなるプリント基板４４は、このような廃材に、所定の下パターンを形成するとともに、ジャンパ線４３ａ、４３ｂなどを半田付けにより装着して、基板本体Ａから得たものである。
【００３８】
また、図３に示すように、１枚のプリント基板４４に主電源用の押し下げ式スイッチ４のジャンパ接点４３とともに、チャンネル切替え用の押し下げ式スイッチ５のジャンパ接点５３、５３および音量を調整するためのボリューム用の押し下げ式スイッチ６のジャンパ接点６３、６３を形成しても良い。この場合、プリント基板４４に、一対のジャンパ線５３ａ、５３ｂおよびジャンパ線６３ａ、６３ｂを、夫々２組として、夫々上下方向において並設するように装着して形成する。これにより、チャンネルを順方向（順）、または逆方向（逆）に切替える一対の押し下げ式スイッチ５が構成できる。また、同様に、音量を大きく（大）、または小さく（小）するように調整する一対のボリューム用の押し下げ式スイッチ６が構成できる。
【００３９】
また、ジャンパ接点４３、５３、６３は、図６に示すように、プリント基板４４に夫々のジャンパ線４３ａ、４３ｂ、５３ａ、５３ｂ、６３ａ、６３ｂを、夫々縦方向において並設するように装着して形成しても良い。この構成によれば、所謂、固定側の接点とし機能するジャンパ接点４３、５３、６３は、縦方向において線状に延びている。従って、ケース２１のパネル面に設けれたキートップ４１、５１、６１との位置関係において、縦方向に余裕ができるので、ケース２１の製作誤差などを吸収でき、都合が良い。
【００４０】
また、複数組のジャンパ接点４３、５３、６３は、図７に示すように、同一プリント基板４４に、夫々のジャンパ線４３ａ、４３ｂ、５３ａ、５３ｂ、６３ａ、６３ｂを装着し、かつ、相隣り合うジャンパ接点４３−５３、５３−５３、５３−６３、６３−６３は、夫々のジャンパ線４３ａ、４３ｂ、５３ａ、５３ｂ、６３ａ、６３ｂを異なる方向に並設して形成しても良い。この構成によれば、複数組のジャンパ接点４３、５３、６３が、同一プリント基板４４に装着され、かつ、相隣り合うジャンパ接点４３−５３、５３−５３、５３−６３、６３−６３が、夫々のジャンパ線４３ａ、４３ｂ、５３ａ、５３ｂ、６３ａ、６３ｂが異なる方向に並設されるので、ケース２１に設ける相隣り合うキートップ４１、５１、６１の配置構成に自由度が増し、デザイン設計の幅が広がり、都合がよい。
【００４１】
また、図８に示すように、複数組の押し下げ式スイッチ４、５、６のジャンパ接点４３、５３、６３を形成する一方のジャンパ線４３ｂは、少なくとも複数組の押し下げ式スイッチ４、５、６に共用可能に、他方の複数組のジャンパ線４３ａ、５３ａ、６３ａ間を跨ぐように、例えば、ジャンパ線４３ｂを長く延長して並設して形成しても良い。この構成によれば、複数組の押し下げ式スイッチ４、５、６のジャンパ接点の一方は、1本のジャンパ線４３ｂで共用できるので、プリント基板４４のパターンが単純化でき、都合がよい。
【００４２】
以上の構成による本実施形態では、タクトスイッチを用いることなく、プリント基板４４に装着した少なくとも一対のジャンパ線４３ａ、４３ｂ、５３ａ、５３ｂ、６３ａ、６３ｂからなるジャンパ接点４３、５３、６３を、所謂、固定側の接点とし、かつ、ケース２１のパネル面に設けたキートップ４１、５１、６１の内面側に導電部４２（５２、６２）を設けて可動側の接点として押し下げ式スイッチ４、５、６、を構成している。従って、タクトスイッチが不要となり、部品点数の削減が図れるとともに、その構成は、極めて簡単となり、安価なものとなる。しかも、可動側の接点と機能する導電部４２（５２、６２）は、オン・オフ操作時になんら変形しないので、半永久的に使用することができ、長寿命化を図ることができる。
【００４３】
また、図３に示す例では、所謂、固定側の接点とし機能するジャンパ接点４３、５３、６３は、横方向において線状に延びている。従って、ケース２１のパネル面に設けれたキートップ４１、５１、６１との位置関係において、横方向に余裕ができるので、ケースの製作誤差などを吸収でき、都合が良い。
【００４４】
また、ケース２１のパネル面に設けた複数個のキートップ４１、５１、６１と、1枚のプリント基板４４上に形成した複数組のジャンパ接点４３、５３、６３とにより、複数個の押し下げ式スイッチ４、５、６を形成しているので、より備品点数の削減を図ることができ、都合がよい。
【００４５】
また、プリント基板４４は、通常廃棄される捨て基板Ｂを利用している。このため、製造コストを増大させることなく上述の効果を得ることができる。加えて、廃材を利用するため、省資源および環境保全の観点からも好ましい効果を得ることができる。
【００４６】
（第２実施形態）
次に、本発明の第２実施形態について図９を参照しながら説明する。図９は、本発明の第２実施形態に係る押し下げ式スイッチを示す要部断面図である。なお、図９において、上述した図１乃至図８と同じ符号を付した部分は、略同一のものを示すため、ここでは詳細な説明は省略する。以下、上述した実施形態との相違点を中心に説明する。
【００４７】
本実施形態では、図９に示す様に、例えば、ジャンパ接点４３の長さＬ１を、当該ジャンパ接点４３に対峙する導電部４２の長さＬ２よりも長く形成する。即ち、ジャンパ接点４３を形成するジャンパ線４３ａ、４３ｂとして、上述した実施形態のものに比べ、長いものを用いる。
【００４８】
以上の構成による本実施形態よれば、上述した実施形態と同様の作用効果を奏する他、ジャンパ接点４３の長さが、当該ジャンパ接点４３に対峙する導電部４２の長さよりも長いので、ケース２１に設けるキートップ４１の配置構成に自由度が増し、デザイン設計の幅が広がり、都合がよい。
【００４９】
（第３実施形態）
次に、本発明の第３実施形態について図１０を参照しながら説明する。図１０は、本発明の第３実施形態に係るジャンパ接点の配列例を説明するための説明図である。なお、図９において、上述した図１乃至図９と同じ符号を付した部分は、略同一のものを示すため、ここでは詳細な説明は省略する。以下、上述した実施形態との相違点を中心に説明する。
【００５０】
本実施形態では、図１０に示す様に、例えば、ジャンパ接点４３は、二対のジャンパ線４３ａ、４３ａ、４３ｂ、４３ｂを夫々並設し、相隣り合うジャンパ線４３ａ−４３ｂ、４３ｂ−４３ａ、４３ａ−４３ｂの極性＋、−が異なるように、例えば、プリント基板の裏面に形成するパターンにより電気的に接続する。
【００５１】
以上の構成による本実施形態よれば、上述した実施形態と同様の作用効果を奏する他、ジャンパ接点４４が、二対のジャンパ線４３ａ、４３ａ、４３ｂ、４３ｂからなり、相隣り合うジャンパ線４３ａ−４３ｂ、４３ｂ−４３ａ、４３ａ−４３ｂの極性が異なるように、電気的に接続されている。従って、ケースのパネル面に設けたキートップとの位置関係において、上下いずれかのジャンパ線４３ａ−４３ｂ、４３ｂ−４３ａ、４３ａ−４３ｂからなるジャンパ接点４４に、導電部が接触すればよい。この結果、キートップの配置構成に余裕ができるので、ケースの製作誤差などを吸収でき、また、デザイン設計の幅が広がり、都合が良い。
【００５２】
（第４実施形態）
次に、本発明の第４実施形態について図１１乃至図１３を参照しながら説明する。図１１乃至図１３は、本発明の第４実施形態に係る押し下げ式スイッチの接触状態を説明するための説明図である。なお、図１１乃至図１３において、上述した図１乃至図１０と同じ符号を付した部分は、略同一のものを示すため、ここでは詳細な説明は省略する。以下、上述した実施形態との相違点を中心に説明する。
【００５３】
本実施形態では、導電部４２と、当該導電部４２に対峙するジャンパ接点４３との配置関係は、キートップ４１を押し下げた際、導電部４２が、当該導電部４２に対峙するジャンパ接点４３の下端部から上端部に向かって、順次当接するように形成する。即ち、図１１に示す様に、例えば、ケース２１に形成するキートップ４１の内面側に設けられた導電部４２が、キートップ４１を操作しない（押し下げない）状態で、同図に示すように、導電部４２の上端部４２ａとジャンパ接点４３の上端側（ジャンパ線４３ａ）との距離Ｌ３が、導電部４２の下端部４２ｂとジャンパ接点４３の下端側（ジャンパ線４３ｂ）との距離Ｌ４より大きくなるように形成する。そして、キートップ４１を操作（押し下げる）すると、図１２に示すように、先ず、導電部４２は、その下端部４２ａ側が、当該導電部４２に対峙するジャンパ接点４３の下端側（ジャンパ線４３ｂ）と当接し、その後、更に、キートップ４１を操作（押し下げる）すると、図１３に示すように、導電部４２の上端部４２ａ側が、当該導電部４２に対峙するジャンパ接点４３の上端側（ジャンパ線４３ａ）に順次当接するように形成する。
【００５４】
以上の構成による本実施形態よれば、上述した実施形態と同様の作用効果を奏する他、キートップ４１を操作したときに、導電部４２が当該導電部４２に対峙するジャンパ接点４３の下端部４３ｂから上端部４３ａに向かって順次当接するので、操作者のクリック感が増し、より操作が確実と成り、都合が良い。
【００５５】
なお、上述した実施形態は、本発明の好適な実施例であるが、本発明はこれに限定されるものではなく、本発明の要旨を逸脱しない範囲において、種々変形実施可能である。
【００５６】
例えば、上述の実施形態では、テレビジョンを例に挙げて説明したが、本発明は、例えば、モニターなどのディスプレ装置や、更には、ビデオレコーダーなどの電気機器に対しても適用可能である。
【００５７】
また、上述の実施形態では、押し下げ式スイッチ４（５、６）を、ケース２のフロント側のケース２１の前面側のパネル面に設けたが、押し下げ式スイッチ４（５、６）は、フロント側のケース２１の側面のパネル面や、リア側のケースのパネル面に設けても良いのは、勿論である。
【図面の簡単な説明】
【００５８】
【図１】本発明の第１実施形態に係る電気機器の一例であるテレビジョン（電気機器）の概略構成を示す概略構成図である。
【図２】図１に示すテレビジョンのフロント側のパネル部分の要部拡大断面図である。
【図３】プリント基板の一例を示す平面図である。
【図４】図３に示すプリント基板のＸ−Ｘ視断面図である。
【図５】原材料となる基板本体から図３に示すようなプリント基板を、取り出す状態を説明するための説明図である。
【図６】プリント基板の他の例を示す平面図である。
【図７】プリント基板の更に他の例を示す平面図である。
【図８】プリント基板の更に他の例を示す平面図である。
【図９】本発明の第２実施形態に係るプリント基板を示す要部断面図である。
【図１０】本発明の第３実施形態に係るジャンパ接点の配列例を説明するための説明図である。
【図１１】本発明の第４実施形態に係る押し下げ式スイッチの接触状態を説明するための説明図である。
【図１２】本発明の第４実施形態に係る押し下げ式スイッチの接触状態を説明するための説明図である。
【図１３】本発明の第４実施形態に係る押し下げ式スイッチの接触状態を説明するための説明図である。
【符号の説明】
【００５９】
１      電気機器（テレビジョン）
２      ケース
２１    フロント側のケース
２１ａ  内壁
３      機器本体（表示機）
３１    表示面
４      押し下げ式スイッチ
４１    キートップ
４２    導電部
４２ａ  上端部
４２ｂ  下端部
４３    ジャンパ接点
４３ａ  ジャンパ線
４３ｂ  ジャンパ線
５      押し下げ式スイッチ
５１    キートップ
５３    ジャンパ接点
５３ａ  ジャンパ線
５３ｂ  ジャンパ線
６      押し下げ式スイッチ
６１    キートップ
６３    ジャンパ接点
６３ａ  ジャンパ線
６３ｂ  ジャンパ線
【図１】
2007227054.tif 000003
【図２】
2007227054.tif 000004
【図３】
2007227054.tif 000005
【図４】
2007227054.tif 000006
【図５】
2007227054.tif 000007
【図６】
2007227054.tif 000008
【図７】
2007227054.tif 000009
【図８】
2007227054.tif 000010
【図９】
2007227054.tif 000011
【図１０】
2007227054.tif 000012
【図１１】
2007227054.tif 000013
【図１２】
2007227054.tif 000014
【図１３】
2007227054.tif 000015